(57)【要約】【課題】  爪先下がり、爪先上がり、左足下がり、左足上がり等の斜面ショットを安定的に行なうことのできるゴルフ練習台を提供すること。【解決手段】  ゴルフ練習用のプレー台１２の水平に対する傾斜角を設定替え可能にするゴルフ練習台１０において、プレー台１２に定めた１つの傾動支点１２Ａを下方の固定台１１の一定高さ位置に設けた支持部１１Ａに傾動自在に支持し、この支持部１１Ａにボール置き部１４を設けてなるもの。【選択図】  図１
2014161389.tif 000002
【特許請求の範囲】
【請求項１】
ゴルフ練習用のプレー台の水平に対する傾斜角を設定替え可能にするゴルフ練習台において、
プレー台に定めた１つの傾動支点を下方の固定台の一定高さ位置に設けた支持部に傾動自在に支持し、この支持部にボール置き部を設けてなることを特徴とするゴルフ練習台。
【請求項２】
前記プレー台に定めた少なくとも１つの昇降支点と下方の固定台との間に昇降ジャッキを介装してなる請求項１に記載のゴルフ練習台。
【請求項３】
前記プレー台に定めた２つの昇降支点のそれぞれと下方の固定台との間に各１個の昇降ジャッキを介装してなる請求項２に記載のゴルフ練習台。
【請求項４】
前記プレー台の傾動支点と下方の固定台の支持部とをユニバーサルジョイントにより連結してなる請求項1〜３のいずれかに記載のゴルフ練習台。
【請求項５】
前記昇降ジャッキの一端に設けたボールジョイントがプレー台の昇降支点と固定台の一方に連結され、昇降ジャッキの他端に設けたユニバーサルジョイントがプレー台の昇降支点と固定台の他方に連結されてなる請求項４に記載のゴルフ練習台。
【発明の詳細な説明】
【技術分野】
【０００１】
本発明はゴルフ練習台に関する。
【背景技術】
【０００２】
従来、ゴルフコースにおける斜面ショットの練習ができるゴルフ練習台として、特許文献１に記載の如く、プレーヤーがスタンスをとるプレー台の水平に対する傾斜角を設定替え可能にしたものがある。
【０００３】
この従来のゴルフ練習台は、プレー台に定めた昇降支点と下方の固定台との間に介装した昇降ジャッキの昇降量を調整することにより、プレー台をセンター支柱のまわりで任意に傾動させ、爪先下がり、爪先上がり、左足下がり、左足上がり等の斜面ショット又は水平ショットの練習を行なえるようにしたものである。
【先行技術文献】
【特許文献】
【０００４】
【特許文献１】特開平11-164921
【発明の概要】
【発明が解決しようとする課題】
【０００５】
特許文献１に記載のゴルフ練習台にあっては、プレー台におけるセンター支柱から離れた位置にゴム製のティー或いは人工芝シートからなるボール置き部を設けることとしている。
【０００６】
このため、プレー台が水平な状態にあるときには、ボールを上記ボール置き部の上に置き、水平ショットの練習を行なうことができる。
【０００７】
しかしながら、プレー台を傾斜させたときには、上記ボール置き部も傾斜するものになり、ボールを当該ボール置き部の上に安定して静止させることができず、斜面ショットの練習を安定的に行なうことができない。
【０００８】
本発明の課題は、爪先下がり、爪先上がり、左足下がり、左足上がり等の斜面ショットを安定的に行なうことのできるゴルフ練習台を提供することにある。
【課題を解決するための手段】
【０００９】
請求項１に係る発明は、ゴルフ練習用のプレー台の水平に対する傾斜角を設定替え可能にするゴルフ練習台において、プレー台に定めた１つの傾動支点を下方の固定台の一定高さ位置に設けた支持部に傾動自在に支持し、この支持部にボール置き部を設けてなるようにしたものである。
【００１０】
請求項２に係る発明は、請求項１に係る発明において更に、前記プレー台に定めた少なくとも１つの昇降支点と下方の固定台との間に昇降ジャッキを介装してなるようにしたものである。
【００１１】
請求項３に係る発明は、請求項２に係る発明において更に、前記プレー台に定めた２つの昇降支点のそれぞれと下方の固定台との間に各１個の昇降ジャッキを介装してなるようにしたものである。
【００１２】
請求項４に係る発明は、請求項１〜３のいずれかに係る発明において更に、前記プレー台の傾動支点と下方の固定台の支持部とをユニバーサルジョイントにより連結してなるようにしたものである。
【００１３】
請求項５に係る発明は、請求項４に係る発明において更に、前記昇降ジャッキの一端に設けたボールジョイントがプレー台の昇降支点と固定台の一方に連結され、昇降ジャッキの他端に設けたユニバーサルジョイントがプレー台の昇降支点と固定台の他方に連結されてなるようにしたものである。
【発明の効果】
【００１４】
（請求項１）
(a)ゴルフ練習台は、プレー台に定めた１つの傾動支点を下方の固定台の一定高さ位置に設けた支持部に傾動自在に支持し、この支持部の上部をボール置き部とした。プレー台は、支持部のまわりで任意に傾動し、支持部自体は何ら傾動しない。このため、支持部の上部に設けたボール置き部も何ら傾動せず、ボールを常にボール置き部の上に安定して静止させることができる。従って、プレー台が水平な状態にあるときにも、傾動させたときにも、ボールをボール置き部の上に安定して静止させ、水平ショット又は斜面ショットの練習を安定的に行なうことができる。プレー台の傾斜に応じたパッティングの練習を行なうこともできる。
【００１５】
（請求項２）
(b)前記プレー台に定めた少なくとも１つの昇降支点と下方の固定台との間に昇降ジャッキを介装した。１個の昇降ジャッキの昇降量の調整により、プレー台を前後に傾動させ、爪先下がりと爪先上がりの斜面ショットを練習できる。又は、プレー台を左右に傾動させ、左足下がりと左足上がりの斜面ショットを練習できる。
【００１６】
（請求項３）
(c)前記プレー台に定めた２つの昇降支点のそれぞれと下方の固定台との間に各１個の昇降ジャッキを介装した。２個の昇降ジャッキの各昇降量の調整により、プレー台を前後左右に傾動させ、爪先下がりと爪先上がりと左足下がりと左足上がり等の斜面ショットを練習できる。
【００１７】
（請求項４）
(d)前記プレー台の傾動支点と下方の固定台の支持部とをユニバーサルジョイントにより連結した。プレー台は、固定台の支持部に設けたユニバーサルジョイントの互いに直交するＸ軸とＹ軸の各軸まわりのそれぞれにおいて回転することにより、前後左右に傾動できる。このとき、プレー台は、固定台の支持部に設けたユニバーサルジョイントのＸ軸とＹ軸の交差点を通るＺ軸たる鉛直軸まわりに回転阻止され、鉛直軸まわりに回転して不安定になることがない。
【００１８】
（請求項５）
(e)前記昇降ジャッキの一端に設けたボールジョイントがプレー台の昇降支点と固定台の一方に連結され、昇降ジャッキの他端に設けたユニバーサルジョイントがプレー台の昇降支点と固定台の他方に連結される。
【００１９】
プレー台が固定台の支持部に設けたユニバーサルジョイントのＸ軸とＹ軸の各軸まわりに回転して前後左右に傾動したとき、プレー台の傾動による該プレー台の傾動支点と昇降支点の水平方向の間隔の変化を許容できる。
【００２０】
昇降ジャッキが昇降用ねじ等の回転要素を伴なうとき、当該回転要素の回転に伴なう回転方向反力をユニバーサルジョイントにより回り止めできる。
【図面の簡単な説明】
【００２１】
【図１】図１はゴルフ練習台の使用状態を示す斜視図である。
【図２】図２はゴルフ練習台を示す斜視図である。
【図３】図３はゴルフ練習台を示す側面図である。
【図４】図４はゴルフ練習台を示す背面図である。
【図５】図５は固定台の支持部に設けたボール置き部の一例を示し、（Ａ）は断面図、（Ｂ）は斜視図である。
【図６】図６は固定台の支持部に設けたボール置き部の他の例を示し、（Ａ）は断面図、（Ｂ）は斜視図である。
【図７】図７は昇降ジャッキの一端に設けたボールジョイントを示す断面図である。
【図８】図８は昇降ジャッキの駆動部を示す断面図である。
【発明を実施するための形態】
【００２２】
図１〜図４に示すゴルフ練習台１０は、ゴルフ練習場の床面上に設けた平板等からなる固定台１１に平板等からなるプレー台１２を支持し、このプレー台１２の水平に対する傾斜角を設定替え可能にするものである。プレーヤーＭは、ゴルフクラブＣを持ち、プレー台１２の上面に敷かれたゴムマット１３に乗ってスタンスを取り、プレー台１２の上面のボール置き部１４としての人工芝マット１６に置かれたボールＢを打つ。
【００２３】
このとき、本発明のゴルフ練習台１０にあっては、プレー台１２の水平に対する傾斜角を以下の如くに任意に設定替えすることができるので、爪先下がり、爪先上がり、左足下がり、左足上がり等の斜面ショット又は水平ショットの練習を行なうことができる。
【００２４】
ゴルフ練習台１０は、プレー台１２に定めた１つの傾動支点１２Ａを下方の固定台１１の一定高さ位置に設けた支持部１１Ａに傾動自在に支持している。本実施例では、プレー台１２の傾動支点１２Ａと、固定台１１に固定した支柱１１Ｐの上端に設けた支持部１１Ａとを、ユニバーサルジョイント２０により連結している。
【００２５】
ユニバーサルジョイント２０は、図５、図６に示す如く、中筒部２１の鉛直方向に沿う中心軸（Ｚ方向軸）に直交するＸ方向軸２１ＡとＹ方向軸２１Ｂを互いに直交するように該中筒部２１に備える。固定台１１の支持部１１Ａを構成する内筒部２１をＸ方向軸２１Ａに揺動自在に枢支し、プレー台１２の傾動支点１２Ａを構成する外筒部２３をＹ方向軸２１Ｂに揺動自在に枢支する。これにより、ユニバーサルジョイント２０は、プレー台１２の傾動支点１２Ａを固定台１１の支持部１１Ａに対して水平方向に移動させず、かつＺ軸まわりに回転させず、Ｘ軸及びＹ軸まわりに揺動自在にし、結果としてプレー台１２の傾動支点１２Ａを固定台１１の支持部１１Ａに傾動自在に支持するものである。
【００２６】
また、ゴルフ練習台１０は、プレー台１２に定めた２つの昇降支点１２Ｂ、１２Ｂのそれぞれと下方の固定台１１との間に、各１個の昇降ジャッキ３０、３０を介装している。本実施例では、各昇降ジャッキ３０の上端ブラケット３１に設けたボールジョイント４０がプレー台１２の昇降支点１２Ｂに連結され、各昇降ジャッキ３０の下端ブラケット３２に設けたユニバーサルジョイント５０が固定台１１に連結される。尚、昇降ジャッキ３０の上端ブラケット３１に設けたユニバーサルジョイント５０がプレー台１２の昇降支点１２Ｂに連結され、昇降ジャッキ３０の下端ブラケット３２に設けたボールジョイント４０が固定台１１に連結されるものでも良い。
【００２７】
ボールジョイント４０は、図７に示す如く、球面軸受４１の環状内周面に球面軸４２の球状外周面を球面接触可能に嵌合したものであり、昇降ジャッキ３０の上端ブラケット３１に設けた軸支部３１Ａに球面軸４２をボルト３１Ｂ及び座金３１Ｃにより固定して構成される。これにより、ボールジョイント４０は、プレー台１２の昇降支点１２Ｂを昇降ジャッキ３０の上端ブラケット３１に対してＸ軸、Ｙ軸及びＺ軸まわりに揺動自在に支持し、結果としてプレー台１２の傾動による該プレー台１２の傾動支点１２Ａと昇降支点１２Ｂの水平方向の間隔の変化を許容可能にするものである。
【００２８】
ユニバーサルジョイント５０は、図２、図３に示す如く、十字軸５１に互いに直交するＸ方向軸５１ＡとＹ方向軸５１Ｂを備える。昇降ジャッキ３０の下端ブラケット３２に設けた軸受３２ＡにＸ方向軸５１Ａを揺動自在に枢支し、固定台１１に設けた軸受１１ＢにＹ方向軸５１Ｂを揺動自在に枢支する。これにより、ユニバーサルジョイント５０は、昇降ジャッキ３０の下端ブラケット３２を固定台１１に対して水平方向に移動させず、かつＺ軸まわりに回転させず、Ｘ軸及びＹ軸まわりに揺動自在にする。
【００２９】
ここで、本実施例の昇降ジャッキ３０は、パンタグラフ式のジャッキであり、図３、図４、図８に示す如く、ボールジョイント４０に連結される上端ブラケット３１にピン結合された左右の上部リンク３３Ｌ、３３Ｒと、ユニバーサルジョイント５０に連結される下端ブラケット３２にピン結合された左右の下部リンク３４Ｌ、３４Ｒとを有し、一方の上部リンク３３Ｌを一方の下部リンク３４Ｌにピン結合するとともに、他方の上部リンク３３Ｒを他方の下部リンク３４Ｒにピン結合し、平行四辺形リンク３０Ｐを形成したものである。図８に示した３５Ａは上部リンク３３Ｌを下部リンク３４Ｌにピン結合したピンを示しており、ピン３５Ａの一端側に各１枚の上部リンク３３Ｌと下部リンク３４Ｌを挿通し、ピン３５Ａの他端側に各１枚の上部リンク３３Ｌと下部リンク３４Ｌを挿通している。ピン３５Ａの上部リンク３３Ｌ、下部リンク３４Ｌが挿通された両端部には両側２枚の連結板３６Ａ、３６Ａが固定され、両連結板３６Ａ、３６Ａには取付板３６Ｂが固定され、この取付板３６Ｂに電動モータ３７が取付けられている。電動モータ３７の出力軸には駆動ギヤ３８Ａが固定され、この駆動ギヤ３８Ａに噛合う従動ギヤ３８Ｂが取付板３６Ｂに枢支されるとともに、従動ギヤ３８Ｂに固定的に直結された昇降用ねじ３９がピン３５Ａの中心部に遊挿されている。昇降用ねじ３９の中間部には、上部リンク３３Ｒを下部リンク３４Ｒにピン結合したピン３５Ｂに設けた不図示のナットが螺合されている。昇降ジャッキ３０は、電動モータ３７の回転により螺動される昇降用ねじ３９の回転量の調整により平行四辺形リンク３０Ｐを構成するピン３５Ａとピン３５Ｂの間隔を変位させ、ひいては下端ブラケット３２に対する上端ブラケット３１の昇降量を調整可能にしている。
【００３０】
従って、ゴルフ練習台１０にあっては、不図示の操作手段を用いて各昇降ジャッキ３０の電動モータ３７の回転量を調整し、ひいては各昇降ジャッキ３０の下端ブラケット３２に対する上端ブラケット３１の昇降量を調整することにより、プレー台１２の水平に対する傾斜角を任意に設定替えできる。
【００３１】
更に、ゴルフ練習台１０は、図１、図２に示す如く、プレー台１２の傾動支点１２Ａを傾動自在に支持している固定台１１の支持部１１Ａの上部を前述のボール置き部１４としている。
【００３２】
ボール置き部１４は、図５に示す如く、固定台１１の支持部１１Ａの上面に設けた人工芝マット１６とすることができる。具体的には、支持部１１Ａを構成するユニバーサルジョイント２０における内筒部２２の内径に挿入した人工芝マット１６の台１６Ａが支柱１１Ｐの上面に固定される。プレーヤーＭは、この人工芝マット１６にボールＢを置き、ボールＢを打つ。
【００３３】
ボール置き部１４は、図６に示す如く、固定台１１の支持部１１Ａにゴム製のティー１７を立てることができる。具体的には、支持部１１Ａを固定するユニバーサルジョイント２０における内筒部２２の内径に挿入したティー１７の台１７Ａが支柱１１Ｐの上面に固定される。プレーヤーＭはこのティー１７にボールＢを乗せ、ボールＢを打つ。
【００３４】
尚、ボール置き部１４にボールＢを自動供給するボール供給装置を付帯することもできる。ボール供給装置として、支柱１１Ｐや支持部１１Ａの内部の下方から昇降するリフト台にボールＢを載せた人工芝マット１６やティー１７を設けることもできる。
【００３５】
本実施例によれば、以下の作用効果を奏する。
(a)ゴルフ練習台１０は、プレー台１２に定めた１つの傾動支点１２Ａを下方の固定台１１の一定高さ位置に設けた支持部１１Ａに傾動自在に支持し、この支持部１１Ａの上部をボール置き部１４とした。プレー台１２は、支持部１１Ａのまわりで任意に傾動し、支持部１１Ａ自体は何ら傾動しない。このため、支持部１１Ａの上部に設けたボール置き部１４も何ら傾動せず、ボールＢを常にボール置き部１４の上に安定して静止させることができる。従って、プレー台１２が水平な状態にあるときにも、傾動させたときにも、ボールＢをボール置き部１４の上に安定して静止させ、水平ショット又は斜面ショットの練習を安定的に行なうことができる。プレー台１２の傾斜に応じたパッティングの練習を行なうこともできる。
【００３６】
(b)前記プレー台１２に定めた少なくとも１つの昇降支点１２Ｂと下方の固定台１１との間に昇降ジャッキ３０を介装した。１個の昇降ジャッキ３０の昇降量の調整により、プレー台１２を前後に傾動させ、爪先下がりと爪先上がりの斜面ショットを練習できる。又は、プレー台１２を左右に傾動させ、左足下がりと左足上がりの斜面ショットを練習できる。
【００３７】
(c)前記プレー台１２に定めた２つの昇降支点１２Ｂのそれぞれと下方の固定台１１との間に各１個の昇降ジャッキ３０を介装した。２個の昇降ジャッキ３０の各昇降量の調整により、プレー台１２を前後左右に傾動させ、爪先下がりと爪先上がりと左足下がりと左足上がり等の斜面ショットを練習できる。
【００３８】
(d)前記プレー台１２の傾動支点１２Ａと下方の固定台１１の支持部１１Ａとをユニバーサルジョイント２０により連結した。プレー台１２は、固定台１１の支持部１１Ａに設けたユニバーサルジョイント２０の互いに直交するＸ軸とＹ軸の各軸まわりのそれぞれにおいて回転することにより、前後左右に傾動できる。このとき、プレー台１２は、固定台１１の支持部１１Ａに設けたユニバーサルジョイント２０のＸ軸とＹ軸の交差点を通るＺ軸たる鉛直軸まわりに回転阻止され、鉛直軸まわりに回転して不安定になることがない。
【００３９】
(e)前記昇降ジャッキ３０の一端に設けたボールジョイント４０がプレー台１２の昇降支点１２Ｂと固定台１１の一方に連結され、昇降ジャッキ３０の他端に設けたユニバーサルジョイント５０がプレー台１２の昇降支点１２Ｂと固定台１１の他方に連結される。
【００４０】
プレー台１２が固定台１１の支持部１１Ａに設けたユニバーサルジョイント５０のＸ軸とＹ軸の各軸まわりに回転して前後左右に傾動したとき、プレー台１２の傾動による該プレー台１２の傾動支点１２Ａと昇降支点１２Ｂの水平方向の間隔の変化を許容できる。
【００４１】
昇降ジャッキ３０が昇降用ねじ３９等の回転要素を伴なうとき、当該回転要素の回転に伴なう回転方向反力をユニバーサルジョイント５０により回り止めできる。
【００４２】
但し、本発明の実施において用いられる昇降ジャッキ３０は、昇降用ねじ等の回転要素を伴なうものに限らず、例えば油圧により直線動するプランジャ式のジャッキ等であっても良い。
【００４３】
以上、本発明の実施例を図面により詳述したが、本発明の具体的な構成はこの実施例に限られるものではなく、本発明の要旨を逸脱しない範囲の設計の変更等があっても本発明に含まれる。例えば、本発明のゴルフ練習台１０は、プレー台１２に定めた唯１つの昇降支点１２Ｂと下方の固定台１１との間に唯１つの昇降ジャッキ３０を介装してなるものでも良い。
【００４４】
また、本発明のゴルフ練習台１０の水平に対する傾斜角をスクリーンのゴルフコースの映像に向って行なうゴルフプレーシュミレーションゲームに連動させて変更し、ゴルフコースの地形の起伏に応じた水平ショットや斜面ショット、又はパッティングを行なうこともできる。
【産業上の利用可能性】
【００４５】
本発明は、ゴルフ練習用のプレー台の水平に対する傾斜角を設定替え可能にするゴルフ練習台において、プレー台に定めた１つの傾動支点を下方の固定台の一定高さ位置に設けた支持部に傾動自在に支持し、この支持部の上部をボール置き部とした。これにより、爪先下がり、爪先上がり、左足下がり、左足上がり等の斜面ショットを安定的に行なうことのできるゴルフ練習台を提供することができる。
【符号の説明】
【００４６】
１０  ゴルフ練習台
１１  固定台
１１Ａ  支持部
１２  プレー台
１２Ａ  傾動支点
１２Ｂ  昇降支点
１４  ボール置き部
２０  ユニバーサルジョイント
３０  昇降ジャッキ
４０  ボールジョイント
５０  ユニバーサルジョイント
【図１】
2014161389.tif 000003
【図２】
2014161389.tif 000004
【図３】
2014161389.tif 000005
【図４】
2014161389.tif 000006
【図５】
2014161389.tif 000007
【図６】
2014161389.tif 000008
【図７】
2014161389.tif 000009
【図８】
2014161389.tif 000010